(57)【特許請求の範囲】
【請求項１】
ジプロピレングリコールｎ−プロピルエーテルを含有しているキャリア組成物に混合された活性成分を含有し、該キャリア組成物の２０℃における蒸気圧が１４Ｐａ未満である、活性成分を空気中へ送達するためのスプレー組成物。
【請求項２】
前記キャリア組成物が、二塩基エステルおよび／またはジプロピレングリコールをさらに含有している、請求項１に記載のスプレー組成物。
【請求項３】
前記ジプロピレングリコールｎ−プロピルエーテルの含有量の合計が、５５〜９９．４５質量％である、請求項１に記載のスプレー組成物。
【請求項４】
前記ジプロピレングリコールｎ−プロピルエーテル、ならびに、前記二塩基エステルおよび／または前記ジプロピレングリコールの含有量の合計が、５５〜９９．４５質量％である、請求項２に記載のスプレー組成物。
【請求項５】
抵抗率調節成分、および必要に応じて表面張力調節成分をさらに含有している、請求項１〜４のいずれか一項に記載のスプレー組成物。
【請求項６】
２０℃における、抵抗率が１×１０３〜１×１０６Ωｍであり、表面張力が２０〜４０ｍＮ／ｍである、請求項５に記載のスプレー組成物。
【請求項７】
前記活性成分の含有量が０．０５〜４４．５質量％であり、前記抵抗率調節成分の含有量が０．５〜５質量％であり、かつ前記表面張力調節成分の含有量が０〜１０質量％である、請求項６に記載のスプレー組成物。
【請求項８】
前記二塩基エステルが、グルタル酸ジメチルおよび／またはアジピン酸ジメチルである、請求項２および４〜７のいずれか一項に記載のスプレー組成物。
【請求項９】
粘度調節成分をさらに含有している、請求項１〜８のいずれか一項に記載のスプレー組成物。
【請求項１０】
前記活性成分が香料である、請求項１〜８のいずれか一項に記載のスプレー組成物。
【請求項１１】
前記香料がフレグランスオイルである、請求項１０に記載のスプレー組成物。
【請求項１２】
前記フレグランスオイルが、ティーツリーオイル、イヌハッカオイルおよびタイムオイルからなる群より選択される１種以上である、請求項１１に記載のスプレー組成物。
【請求項１３】
前記フレグランスオイルの含有量が、５〜３５質量％である、請求項１１または１２に記載のスプレー組成物。
【請求項１４】
ジプロピレングリコールｎ−プロピルエーテル、ならびに、必要に応じて、二塩基エステルおよび／またはジプロピレングリコールを含有し、
抵抗率調節成分、フレグランスオイルおよび表面張力調節成分をさらに含有し、
上記ジプロピレングリコールｎ−プロピルエーテル、ならびに、必要に応じて上記二塩基エステルおよび／または上記ジプロピレングリコールの含有量の合計が、５５〜８９．５質量％であり、
上記抵抗率調節成分の含有量が、０．５〜５質量％であり、
上記フレグランスオイルの含有量が、１０〜３５質量％であり、
上記表面張力調節成分の含有量が、０〜８質量％である、活性成分を空気中へ送達するためのスプレー組成物。
【請求項１５】
前記活性成分が空気清浄化剤である、請求項１〜９のいずれか一項に記載のスプレー組成物。
【請求項１６】
前記空気清浄化剤の含有量が、０．０５〜２０質量％である、請求項１５に記載のスプレー組成物。
【請求項１７】
ジプロピレングリコールｎ−プロピルエーテル、ならびに、必要に応じて、二塩基エステルおよび／またはジプロピレングリコールを含有し、
抵抗率調節成分、空気清浄化剤および表面張力調節成分をさらに含有し、
上記ジプロピレングリコールｎ−プロピルエーテル、ならびに、必要に応じて上記二塩基エステルおよび／または上記ジプロピレングリコールの含有量の合計が、７０〜９７．９質量％であり、
上記抵抗率調節成分の含有量が、１〜５質量％であり、
上記空気清浄化剤の含有量が、０．１〜２０質量％であり、
上記表面張力調節成分の含有量が、１〜１０質量％である、活性成分を空気中へ送達するためのスプレー組成物。
【請求項１８】
静電的に噴霧するための、請求項１〜１７のいずれか一項に記載のスプレー組成物。
【請求項１９】
請求項１〜１８のいずれか一項に記載のスプレー組成物を、空気中へ噴霧する工程を包含する、活性成分を空気中へ送達する方法。
【請求項２０】
前記噴霧する工程が静電的に行われる、請求項１９に記載の方法。
【請求項２１】
前記活性成分を、前記キャリア組成物と混合して前記スプレー組成物を調製する工程をさらに包含する、請求項１９または２０に記載の方法。
【請求項２２】
前記スプレー組成物を空気中へスプレーするためのスプレー電極に該スプレー組成物を供給する工程、および該スプレー電極の近傍に配置された放電電極と該スプレー電極との間に電界を印加する工程を包含する、請求項１９〜２１のいずれか一項に記載の方法。
【請求項２３】
ジプロピレングリコールｎ−プロピルエーテルを含有しているキャリア組成物に混合された活性成分を含有しているスプレー組成物が封入されており、該キャリア組成物の２０℃における蒸気圧が１４Ｐａ未満である、リザバ。
【請求項２４】
前記スプレー組成物を受容するように請求項２３に記載のリザバと連結したスプレー電極、
該スプレー電極の近傍に配置された放電電極、および
該スプレー電極と該放電電極との間に電界を印加する印加部
を備えており、
該スプレー電極と該放電電極との間に電界が印加されることによって、該リザバから供給された該組成物が該スプレー電極にて空気中へスプレーされる、スプレー装置。
【発明の詳細な説明】
【技術分野】
【０００１】
本発明は、活性成分を空気中に送達するための組成物に関する。
【背景技術】
【０００２】
日常には、空気を処理することが望ましい、数多くの機会が存在する。例えば、悪臭を遮蔽又は排除するには、空気中に香料を送出することが有益と考えられる。また、空気中の微生物を排除して衛生的にするためには、少量の殺微生物活性成分を空気中に送出することが有益と考えられる。
【０００３】
空気処理では、空気中に活性成分を送出するのに、液体のスプレーが好適な手段である。しばしば、液体のスプレーは、塵埃、花粉、空中浮遊アレルゲン及び煙粒子などの化学種との凝集によって、空気中からの空中浮遊汚染物質の除去を加速させるというさらなる利点を有する。
【０００４】
空気処理製剤のその他の望ましい性質は、揮発性有機化合物（Ｖｏｌａｔｉｌｅ  Ｏｒｇａｎｉｃ  Ｃｏｍｐｏｕｎｄｓ、以下、ＶＯＣと略記することがある）を含有する製品に関する規則に適合することである。例えば、米国カリフォルニア州における一般消費者製品規則（第２項）（規則）は、販売又は製造時に指定限界を超えてＶＯＣを含有する消費者製品の販売、供給、販売の申込み、又は製造を取り締まる。
【０００５】
ＶＯＣという用語は、当業者に公知であり、ＶＯＣ含量を測定するための方法は、上記規則及びその他に記載されているもの（例えば、Ａｉｒ  Ｒｅｓｏｕｒｃｅ  Ｂｏａｒｄ  Ｍｅｔｈｏｄ  ３１０「Ｄｅｔｅｒｍｉｎａｔｉｏｎ  ｏｆ  Ｖｏｌａｔｉｌｅ  Ｏｒｇａｎｉｃ  Ｃｏｍｐｏｕｎｄｓ（ＶＯＣ）  ｉｎ  Ｃｏｎｓｕｍｅｒ  Ｐｒｏｄｕｃｔｓ（消費者製品中の揮発性有機化合物の測定）」（ＣＡＲＢ法３１０）を使用する）を含む。ＶＯＣは、標準圧力で約２６０℃までの範囲内で沸騰する有機化合物である。
【０００６】
エアロゾル、圧電素子デバイス、液体蚊取り、及び静電スプレー装置に適切な液体スプレー空気処理用の組成物におけるＶＯＣ含量は、組成物の非水性溶媒によって実質的に決定される。非水性溶媒の相対的な寄与を低減させるため、しばしば、組成物の含水量を増加させる方法がとられるが、この方法は、組成物中に含まれる可能性があり且つ上述のようなスプレー装置の性能に悪影響も及ぼす可能性がある、活性成分の種類及び範囲に厳しい制約を課す。
【０００７】
空気処理用の液体の組成物は、当技術分野で公知であり、特に静電スプレーを使用することによって空気を処理する組成物が公知であるが、一般的に、規則が組成物のＶＯＣ含量を制限する場合には、空気中に分散させるのには不適切であったり、低容量スプレー分散には不適切な物理的性質（不適切な粘度及び／又は抵抗率）を有していたり、構成成分（例えば、植物油）が予測不可能な純度を有していたり、例えば単相を維持するために界面活性剤を含有することによって、望ましくない毒性を有していたり、その他の理由でヒト及び環境に有害であったりする。
【０００８】
特許文献１及び２は、静電スプレーによって送出される製剤を対象とし、組成物は、「Ｅｘｘｓｏｌ」Ｄ１８０／２２０、「Ｓｏｌｖｅｓｓｏ」１５０、Ａｒｏｍａｓｏｌ  Ｈ、ケロセン（典型的には不適切なＶＯＣ含量を有する）、落花生油、及び大豆油（典型的には、物理的性質が不適切である、及び／又は、純度にばらつきがある）を溶媒として含む。
【０００９】
特許文献３は、その蒸気圧がＶＯＣ規則により組成物を不適切なものにし得る、オレイン酸を含む組成物を開示する。
【００１０】
特許文献４は、２０℃で不適切な蒸気圧を有するジメチルイソソルビド及びプロピレングリコールと、高粘度を克服するための機械的ポンプによる送出がない場合には、低容量静電スプレーに望ましくない物理的性質を有するグリセロール及びポリエチレングリコールとを含む、静電スプレー用の溶媒を開示する。
【００１１】
特許文献５は、エタノール、パーフルオロオクタノール及びパーフルオロデカリン（高い蒸気圧を有する）、又は水（高い表面張力を有する）を含む、静電スプレー用の製剤を開示する。
【００１２】
特許文献６は、イソプロピルアルコール、フェニルエチルグリコール、１，３−ブタンジオール、１，２−プロパンジオール等の、高過ぎる蒸気圧、不適切な物理的性質、望ましくない毒性を有し、無臭ではないもの、又はこれらの性質の組合せを有するものを含む、静電スプレー用の組成物を開示する。
【００１３】
特許文献７は、静電スプレーによって分散させるための液体の組成物に関し、シクロヘキサノンを含むバルク溶媒と、少なくとも１種の低級アルカノール（不適切な蒸気圧を有する）を含むグリコール溶媒の組合せを開示する。
【００１４】
特許文献２は、超低容量静電スプレーに特に適切な組成物を開示する。開示されたバルク溶媒には、「Ｓｏｌｖｅｓｓｏ」１５０、「Ｉｓｏｐａｒ」Ｌ、及び「Ｅｘｘｓｏｌ」Ｄ１８０／２２０が含まれ、その抵抗率は高く、アルコール及びケトン系溶媒と混合することによって低下することが開示されており、このことは、安全上の理由により不適切になり得る。
【００１５】
特許文献８は、グリコールエーテル、３−メトキシ−３−メチルブタノール、イソドデカン、ジエチルフタレート及びミリスチン酸イソプロピル（不適切な蒸気圧を有する）を含む静電スプレーに適切な組成物を開示するが、ＶＯＣ規制に適切と考えられる溶媒を明らかにしていない。
【先行技術文献】
【特許文献】
【００１６】
【特許文献１】欧州特許出願公開第００６６９４６号明細書（１９８２年１２月１５日公開）
【特許文献２】欧州特許出願公開第０００３２５１号明細書（１９７９年８月８日公開）
【特許文献３】欧州特許出願公開第０００６２９３号明細書（１９８０年１月９日公開）
【特許文献４】欧州特許出願公開第０２２４３５２号明細書（１９８７年６月３日公開）
【特許文献５】国際公開第００／０６６２０６号パンフレット（２０００年１１月９日国際公開）
【特許文献６】欧州特許出願公開第０５２３９６０号明細書（１９９３年１月２０日公開）
【特許文献７】オーストラリア特許第５９２９７０号明細書（１９９０年２月１日公開）
【特許文献８】国際公開第０３／０００４３１号パンフレット（２００３年１月３日国際公開）
【発明の概要】
【発明が解決しようとする課題】
【００１７】
本発明は、上記事情に鑑みてなされたものであり、ＶＯＣ規制に適合し、任意の活性成分を安定して空気中に送出でき、特に静電スプレー装置によるスプレーに好適な空気処理用の液体の組成物を提供することを課題とする。
【課題を解決するための手段】
【００１８】
本発明の第１の態様は、活性成分を空気中へ送達するためのスプレー組成物であって、
一般式（Ｉ）
【００１９】
【化１】
0005876246.tif 000002
【００２０】
（式中、Ｒ１は炭素数１〜４のアルキル基であり、ｎは２又は３であり、但し、ｎが２の場合にはＲ１はメチル基ではない。）
で表されるグリコールエーテルを含有しているキャリア組成物に混合された活性成分を含有し、該キャリア組成物の２０℃における蒸気圧が１４Ｐａ未満であるスプレー組成物を提供する。上記キャリア組成物は、二塩基エステルおよび／またはジプロピレングリコールをさらに含有してもよい。さらに、上記スプレー組成物は、抵抗率調節成分、および必要に応じて表面張力調節成分をさらに含有してもよい。
【００２１】
また、本発明の第２の態様は、スプレー組成物を、空気中へ噴霧する工程を包含する、活性成分を空気中へ送達するための方法を提供する。
【００２２】
また、本発明の第３の態様は、活性成分を空気中へ送達するための、一般式（Ｉ）で表されるグリコールエーテルの使用を提供する。
【００２３】
また、本発明の第４の態様は、上記スプレー組成物が封入されているリザバを提供する。
【００２４】
また、本発明の第５の態様は、上記スプレー組成物が封入されているリザバ、上記スプレー組成物を受容するように該リザバと連結したスプレー電極、該スプレー電極の近傍に配置された放電電極、および、該スプレー電極と該放電電極との間に電界を印加する印加部を備えたスプレー装置を提供し、該スプレー電極と該放電電極との間に電界が印加されることによって、該リザバから供給された該組成物が該スプレー電極にて空気中へ液滴形態にてスプレーされる。
【発明の効果】
【００２５】
本発明によれば、ＶＯＣ規制に適合し、任意の活性成分を安定して空気中に送出でき、特に静電スプレー装置によるスプレーに好適な、空気処理用の方法および組成物を提供できる。より具体的には、噴射剤やエタノールなどのような望ましくない構成成分の使用を回避でき、ヒトや環境にもたらす毒性及び危険性が低く、空気処理に適切な方法および組成物を提供できる。
【発明を実施するための形態】
【００２６】
＜組成物＞
本発明の組成物は、活性成分を空気中へ送達するための組成物であって、
一般式（Ｉ）
【００２７】
【化２】
0005876246.tif 000003
【００２８】
（式中、Ｒ１は炭素数１〜４のアルキル基であり、ｎは２又は３であり、但し、ｎが２の場合にはＲ１はメチル基ではない。）
で表されるグリコールエーテルを含有しているキャリア組成物に混合された活性成分を含有しているスプレー組成物である。
【００２９】
本発明のスプレー組成物は、抵抗率調節成分、および必要に応じて表面張力調節成分をさらに含有してもよい。また、上記キャリア組成物は、二塩基エステルおよび／またはジプロピレングリコールをさらに含有してもよい。
【００３０】
本明細書及び特許請求の範囲において、「蒸気圧」とは、「ＣＡＲＢ法３１０（Ａｉｒ  Ｒｅｓｏｕｒｃｅ  Ｂｏａｒｄ  Ｍｅｔｈｏｄ  ３１０）による、任意の水性成分を除外した組成物に関して計算された蒸気圧」を意味する。
【００３１】
また、本明細書で言及される特許文献を含めた全ての文献は、可能な限り最も十分な範囲まで、参照により本明細書に組み込まれる。
【００３２】
本発明の好ましい組成物の一例としては、ａ）低蒸気圧成分、ｂ）抵抗率調節成分、ｃ）活性成分及びｄ）表面張力調節成分の含有量が、以下に示す範囲であるものが挙げられる。
【００３３】
【表１】
0005876246.tif 000004
【００３４】
本明細書中において、用語「低蒸気圧成分」は、本発明を実現し得ることが本発明者らによって見出された成分をいい、上述したキャリア組成物の必須成分である。
【００３５】
本発明の組成物において、ａ）低蒸気圧成分は、一般式（Ｉ）で表されるグリコールエーテルと、さらに任意選択で二塩基エステルおよび／またはジプロピレングリコールとを含む。
【００３６】
すなわち、ａ）低蒸気圧成分は、一般式（Ｉ）で表されるグリコールエーテルを必須成分として含み、必要に応じて、二塩基エステルを含み、これら以外にさらに、任意成分としてジプロピレングリコールを含んでいてもよい。
【００３７】
グリコールエーテルを表す前記一般式（Ｉ）において、Ｒ１は炭素数１〜４のアルキル基であり、該アルキル基は直鎖状、分岐鎖状及び環状のいずれでもよいが、直鎖状又は分岐鎖状であることが好ましく、具体的には、メチル基、エチル基、ｎ−プロピル基、イソプロピル基、ｎ−ブチル基、イソブブチル基、ｓｅｃ−ブチル基、ｔｅｒｔ−ブチル基が例示できる。
【００３８】
また、前記一般式（Ｉ）において、ｎは２又は３である。但し、ｎが２の場合にはＲ１はメチル基ではない。
【００３９】
一般式（Ｉ）で表されるグリコールエーテルとしては、ジプロピレングリコールエチルエーテル、ジプロピレングリコールｎ−プロピルエーテル（以下、ＤＰｎＰと略記することがある）、ジプロピレングリコールｎ−ブチルエーテル、トリプロピレングリコールメチルエーテル、トリプロピレングリコールエチルエーテル、トリプロピレングリコールｎ−プロピルエーテル、トリプロピレングリコールｎ−ブチルエーテル等が例示でき、ジプロピレングリコールｎ−プロピルエーテルが好ましい。
【００４０】
一般式（Ｉ）で表されるグリコールエーテルは、１種を単独で使用してもよいし、２種以上を併用してもよい。
【００４１】
上記二塩基性エステル（以下、ＤＢＥと略記することがある）としては、グルタル酸ジメチル、アジピン酸ジメチルが例示できる。
【００４２】
上記二塩基性エステルは、１種を単独で使用してもよいし、２種以上を併用してもよい。
【００４３】
本発明においては、上記二塩基性エステルが、グルタル酸ジメチル及びアジピン酸ジメチルからなる群から選択される一種以上であることが好ましい。
【００４４】
上記二塩基性エステルが、グルタル酸ジメチルとアジピン酸ジメチルとの混合物である場合には、該混合物中のグルタル酸ジメチルの比率は５〜８０質量％で、アジピン酸ジメチルの比率は２０〜９５質量％であることが好ましい。
【００４５】
本発明の組成物におけるａ）低蒸気圧成分の含有量の下限値は、５５質量％であることが好ましく、５７．５質量％であることがより好ましく、５９質量％であることが特に好ましい。また、ａ）低蒸気圧成分の含有量の上限値は、９９．４５質量％であることが好ましく、９０質量％であることがより好ましく、８９質量％であることが最も好ましい。
そして、ａ）低蒸気圧成分の含有量は、上記の下限値と上限値との間のいずれかの値であることが好ましい。
【００４６】
本発明の組成物が一般式（Ｉ）で表されるグリコールエーテルを含有する場合、該組成物における上記グリコールエーテルの含有量の下限値は、３５質量％であることが好ましく、４０質量％であることがより好ましく、４２質量％であることが特に好ましい。また、上記グリコールエーテルの含有量の上限値は、９０質量％であることが好ましく、８８質量％であることがより好ましく、８７．５質量％であることが特に好ましい。そして、上記グリコールエーテルの含有量は、上記の下限値と上限値との間のいずれかの値であることが好ましい。
【００４７】
本発明の組成物が上記二塩基性エステルを含有する場合、該組成物における上記二塩基性エステルの含有量の下限値は、５質量％であることが好ましく、６質量％であることがより好ましく、１２質量％であることが特に好ましい。また、上記二塩基性エステルの含有量の上限値は、８５質量％であることが好ましく、８４．５質量％であることがより好ましく、３６質量％であることが特に好ましい。そして、上記二塩基性エステルの含有量は、上記の下限値と上限値との間のいずれかの値であることが好ましい。
【００４８】
本発明の組成物がジプロピレングリコールを含有する場合、該組成物におけるジプロピレングリコールの含有量の下限値は、１質量％であることが好ましく、４質量％であることがより好ましく、４．４質量％であることが特に好ましい。また、ジプロピレングリコールの含有量の上限値は、１５質量％であることが好ましく、１０質量％であることがより好ましく、９質量％であることが特に好ましい。そして、ジプロピレングリコールの含有量は、上記の下限値と上限値との間のいずれかの値であることが好ましい。
【００４９】
ｂ）抵抗率調節成分としては、組成物の抵抗率を調節できる、当業者に公知の成分が使用でき、水、電解質が例示できる。
【００５０】
一般的に水は、最小限の電解質を含んでおり、その抵抗率は、典型的には１×１０１Ωｍ以上、より典型的には１×１０３Ωｍ以上、特に典型的には１×１０４Ωｍ以上、最も典型的には１×１０５Ωｍ以上であり、例えば、１×１０６Ωｍ以上、さらには１×１０７Ωｍ以上となることが多い。
【００５１】
本発明において水としては、脱イオン水や、高速液体クロマトグラフィー（ＨＰＬＣ）用の水と、同等以上の純度のものが好ましい。
【００５２】
電解質は、例えば、水溶液として添加できる。前記電解質としては、酢酸ナトリウム、炭酸水素ナトリウム、塩化ナトリウム、アスコルビン酸、クエン酸、酢酸が例示できる。本発明の組成物が電解質を含有する場合、該組成物中の水成分の含有量に対する電解質の含有量の比率は、０．１〜２質量％であることが好ましく、０．１〜１質量％であることがより好ましい。
【００５３】
ｂ）抵抗率調節成分は、１種を単独で使用してもよいし、２種以上を併用してもよい。
【００５４】
本発明の組成物におけるｂ）抵抗率調節成分の含有量の下限値は、０．５質量％であることが好ましく、０．７質量％であることがより好ましく、１質量％であることが特に好ましい。また、ｂ）抵抗率調節成分の含有量の上限値は、５質量％であることが好ましく、４．５質量％であることがより好ましく、４質量％であることが特に好ましい。そして、ｂ）抵抗率調節成分の含有量は、上記の下限値と上限値との間のいずれかの値であることが好ましい。
【００５５】
本発明において、ｃ）活性成分としては、目的に応じて任意の成分が選択でき、好ましいものとしては、香料、空気清浄化薬剤が例示できる。
【００５６】
前記香料としては、エッセンシャルオイル及びその他のフレグランスオイルが例示できる。そして、前記香料としては、これらオイルに含まれる全ての画分（成分油）のうちの一部のみを使用しても良い。
【００５７】
前記香料の好ましいものとして、より具体的には、コバノブラッシノキ（Ｍｅｌａｌｅｕｃａ）のオイル、テルピネン−４−オール型等のティーツリーオイル；ネペタカテリア（Ｎｅｐｅｔａ  ｃａｔｅｒｉａ）、ネペタカテリアの精製油等のイヌハッカオイル；ネペタラクトンを含む画分等のイヌハッカオイルの画分；タチジャコウソウ（Ｔｈｙｍｕｓ  ｖｕｌｇａｒｉｓ）のオイル等のタイムオイル；チモールを含む画分等のタイムオイルの画分等を含むものが例示できる。
【００５８】
また、フレグランスオイル等の香料は、例えば、骨格の鎖長が異なる複数種の化合物を含む混合物や、複数種の立体異性体を含む混合物であることが多いが、このような混合物を使用してもよい。
【００５９】
上記の中でも、前記香料としては、ティーツリーオイル、イヌハッカオイル及びタイムオイルからなる群から選択される１種以上のオイルの成分油が好ましい。
【００６０】
本発明の組成物がフレグランスオイルを含有する場合、該組成物におけるフレグランスオイルの含有量は、５〜３５質量％であることが好ましい。
【００６１】
そして、好ましいｃ）活性成分としては、好ましくは５５〜９５質量％、より好ましくは５７．５〜９０質量％、さらに好ましくは５９〜７８質量％の濃度でフレグランスオイルを含むものが例示できる。
【００６２】
また、フレグランスオイルとしては、２０℃で２７０Ｐａ以下の蒸気圧を有するものが好適である。
【００６３】
前記空気清浄化薬剤としては、活性空気クリーナー成分、活性空気フレッシュナー成分、活性抗菌成分、活性抗真菌成分、活性抗アレルギー成分が例示でき、好ましいものとしてより具体的には、ポリヘキサメチレンビガウアニドポリマー、ポリヘキサメチルグアニドポリマー、アルキルジメチルベンジルアンモニウム塩化物、オクチルデシルジメチルアンモニウム塩化物、クロルヘキシジン、ジグルコン酸クロルヘキシジン、塩化ベンザルコニウム、次亜塩素酸ナトリウム、２−フェニルフェノール、ポリエチレングリコール３００、２−ベンジル−４−クロロフェノール、２−フェノキシエタノール、グルタルアルデヒド、フタルアルデヒド、クロロキシレノール、トリクロロフェノール、フェノール、銀塩（特に、水溶性銀塩）、ヘキサクロロフェン、過酢酸、乳酸、過ギ酸、過マンガン酸カリウム、ペルオキシモノ硫酸カリウムが例示できる。
【００６４】
本発明の組成物が空気清浄化薬剤を含有する場合、該組成物における空気清浄化薬剤の含有量は、０．０５〜２０質量％であることが好ましく、０．１〜１７質量％であることがより好ましく、０．１〜１５質量％であることが特に好ましい。
【００６５】
前記活性抗菌成分としては、トリクロサン、トリクロロカルバニリド、イソプロピルメチルフェノール、Ｎ−（ジクロロフルオロメチルチオ）−フタルアミド、Ｎ’−（ジクロロフルオロメチルチオ）Ｎ，Ｎ’−ジメチル−Ｎ’−フェニル−スルファミド、ポリオクチルポリアミノエチルグリシン、チアベンタゾール、二酸化塩素、２−ブロモ−２−ニトロエタノール、２−ブロモ−２−ニトロプロパン−１，３−ジオール、２−ブロモ−２−ニトロプロパノール、１−ブロモ−１−ニトロプロパノール、１，４−ジブロモ−１，４−ジニトロブタンジオール−２，３−セチルピリジニウム、１−ブロモ−１−ニトロ−２−メチルプロパノール−２−セチルピリジニウムおよび塩化セチルピリジニウム、塩化ベンゼトニウム、アクリノール、ポビドンヨード、マーキュロクロム、クロラムフェニコール、硫酸フラジオマイシン、硫酸ゲンタマイシン、塩酸オキシテトラサイクリン、硫酸ポリミキシンＢ、トリコマイシン、グリセオフルビンをさらに挙げることができる。
【００６６】
前記活性抗真菌成分としては、安息香酸及びその塩、ソルビン酸及びその塩、パラオキシ安息香酸エステル類、デヒドロ酢酸ナトリウム、プロピオン酸、ポリリジン、チアペンダゾール；リナロール、ゲラニオール、ネロール、シトロネロール、α−ターピネオール、ターピネン−４−オール、イソプレゴール等のテルペン系アルコール；２，４−ジメチル−３−シクロヘキセン−１−メタノール、４−イソプロピルシクロヘキサノール、４−イソプロピルシクロヘキサンメタノール、１−（４−イソプロピルシクロヘキシル）−エタノール、２，２−ジメチル−３−（３−メチルフェニル）−プロパノール等の炭素数７〜１５の脂環式アルコール；ベンジルアルコール、フェニルエチルアルコール、フェニルプロピルアルコール、カルバクロール、オイゲノール等の炭素数７〜１５のアリールアルキルアルコール又はアルキルアリールアルコールをさらに挙げることができる。
【００６７】
前記活性抗アレルギー成分としては、ハイドロキシアパタイト、エピカテキン、エピガロカテキン、エピカテキンガレート、エピガロカテキンガレート、没食子酸および没食子酸と炭素数１から４までのアルコールとのエステル化合物をさらに挙げることができる。
【００６８】
消臭等のための活性空気クリーナー成分としては、タンニン、フラボノイド（カルコン、フラバノン、フラバノール、フラボン、フラボノール、イソフラボン）等のポリフェノール、シクロデキストリン、メタクリル酸ラウリル、ゲラニルクロリネート、４−ヒドロキシ−６−メチル−３−（４−メチルペンタノイル）−２−ピロン、ホルマリン、グリオキサール、重亜硫酸ナトリウム、亜硫酸ナトリウム、ジヒドロキシ−アセトン、３，５，５−トリメチルヘキサノール、β−エトキシプロピオンアルデヒド、グルタロアルデヒド、メタアクリル酸エステル、マレイン酸エステル、マレイン酸モノアミド、マレイン酸イミド、フマル酸エステル、β−アシルアクリル酸およびその塩、セネシオン酸シトロネリル、１，３−ペンタジエン−１−カルボン酸アルキルエステル、ピナンハイドロパーオキサイド、ｐ−サイメンパーオキサイド、１，２−プロピレンオキサイド、１，２−ブチレンオキサイド、グリシジルエーテル、オクタアセチルサッカロース、Ｆｅ（ＩＩＩ）−オクタカルボキシフタロシアニン、Ｆｅ（ＩＩＩ）−テトラカルボキシフタロシアニン、５−メチル−２−イソプロピル−２−ヘキセナール、ｐ−ブトキシフェノール、カテコール、ハイドロキノン、４−メチルカテコール、１，２，４−トリハイドロキシベンゼン、３−メチルカテコール、３−メトキシカテコール、カルノソール、ロズマノール、ブラジリン、ヘマトキシリン、シコニン、ミリセチン、バイカレイン、バイカリン、シトラール、バニリン、クマリンをさらに挙げることができる。
【００６９】
好ましいｃ）活性成分としては、さらに、ｂ）抵抗率調節成分として機能するものも例示できる。このようなｃ）活性成分としては、第４級アミンの塩、保存料、ジグルコン酸クロルヘキシジン等のクロルヘキシジンの塩、及び先に例示したその他の空気清浄化薬剤が例示できる。このようなｃ）活性成分は、ｂ）抵抗率調節成分も兼ねて単独で使用してもよいし、その他のｃ）活性成分又はｂ）抵抗率調節成分と併用してもよい。
【００７０】
ｃ）活性成分は、１種を単独で使用してもよいし、２種以上を併用してもよい。
【００７１】
２種以上のｃ）活性成分を併用する場合には、例えば、２種以上の香料のみを併用してもよいし、２種以上の空気清浄化薬剤のみを併用してもよく、１種以上の香料と１種以上の空気清浄化薬剤とを併用してもよい。
【００７２】
本発明の組成物におけるｃ）活性成分の含有量は、０．０５〜４４．５質量％であることが好ましい。
【００７３】
本発明の組成物は、ａ）低蒸気圧成分、ｂ）抵抗率調節成分及びｃ）活性成分以外に、必要に応じて、さらに、任意成分としてｄ）表面張力調節成分を含有していてもよい。
【００７４】
表面張力調節成分ｄ）は、例えば、バルク製剤の表面張力を下げるために、あるいは組成物の上記の物理的性質が所望の範囲に近付くように添加されるものである。
【００７５】
ｄ）表面張力調節成分としては、イソパラフィン（例えば、Ｉｓｏｐａｒ  Ｌ）；デカメチルテトラシロキサン、デカメチルシクロペンタシロキサン、ドデカメチルシクロヘキサシロキサン、及びこれらの混合物等のシリコーン油が例示できる。
【００７６】
ｄ）表面張力調節成分は、１種を単独で使用してもよいし、２種以上を併用してもよい。
【００７７】
本発明の組成物がｄ）表面張力調節成分を含有する場合、該組成物におけるｄ）表面張力調節成分の含有量の下限値は、０．５質量％であることが好ましく、１質量％であることがより好ましく、２質量％であることが特に好ましく、３質量％であることが最も好ましい。また、ｄ）表面張力調節成分の含有量の上限値は、１０質量％であることが好ましく、８質量％であることがより好ましく、４質量％であることが最も好ましい。そして、ｄ）表面張力調節成分の含有量は、上記の下限値と上限値との間のいずれかの値であることが好ましい。
【００７８】
本発明の組成物は、上記のａ）低蒸気圧成分、ｂ）抵抗率調節成分、ｃ）活性成分及びｄ）表面張力調節成分以外に、その他の成分を含有していてもよい。
【００７９】
前記その他の成分としては、粘度調節成分が例示でき、例えば、グリセリンを含有させることで、組成物の粘度を増大させることができる。
【００８０】
また、本発明の組成物は、全体的な性質に影響が及ばない範囲内で、少量の蛍光剤を含有していてもよく、例えば、Ｕｖｉｔｅｘ−ＯＢ等を１質量％以下の量で含有させることができる。
【００８１】
ｃ）活性成分としてフレグランスオイルを含有する好ましい本発明の組成物としては、  ａ）低蒸気圧成分５５〜８９．５質量％、
ｂ）抵抗率調節成分０．５〜５質量％、
フレグランスオイル１０〜３５質量％、
ｄ）表面張力調節成分０〜８質量％
を含有するものが例示できる。
【００８２】
ｃ）活性成分として空気清浄化薬剤を含有する好ましい本発明の組成物としては、
ａ）低蒸気圧成分７０〜９７．９質量％、
ｂ）抵抗率調節成分１〜５質量％、
空気清浄化薬剤０．１〜２０質量％、
ｄ）表面張力調節成分１〜１０質量％
を含有するものが例示でき、これら成分のみを含有するものがより好ましい。
【００８３】
ｃ）活性成分としてフレグランスオイル及び空気清浄化薬剤を含有する好ましい本発明の組成物としては、
ａ）低蒸気圧成分５５〜９２．９質量％、
ｂ）抵抗率調節成分１〜５質量％、
フレグランスオイル５〜３５質量％、
空気清浄化薬剤０．１〜２０質量％、
ｄ）表面張力調節成分１〜１０質量％
を含有するものが例示でき、これら成分のみを含有するものがより好ましい。
【００８４】
ａ）低蒸気圧成分、ｂ）抵抗率調節成分、ｃ）活性成分及びｄ）表面張力調節成分中のｃ）活性成分の含有量（相対比）は、ｃ）活性成分が効率的に分散されるように、適切な大きさの液滴の安定なスプレーを得るために、最終的な組成物の抵抗率、表面張力及び蒸気圧が適切となるように、上述の数値範囲内で適宜調節することができる。
【００８５】
本発明の組成物の好ましい物性値は、以下の通りである。
【００８６】
２０℃での抵抗率は、１×１０３〜１×１０６Ωｍであることが好ましく、１．５×１０３〜８×１０４Ωｍであることがより好ましい。
【００８７】
２０℃での表面張力は、２０〜４０ｍＮ／ｍであることが好ましく、２６〜３４ｍＮ／ｍであることがより好ましい。
【００８８】
粘度は、２０℃で１〜１０ｍＰａ・ｓであることが好ましく、２〜５ｍＰａ・ｓであることがより好ましい。
【００８９】
そして、本発明の組成物は、これら物性値の二つ以上又はすべてを同時に有することが好ましい。
【００９０】
本発明の組成物の物性値は、公知の方法で測定でき、測定法は特に限定されないが、具体例は以下の通りである。
【００９１】
抵抗率は、液体抵抗性セルを使用方法で測定できる。表面張力は、Ｄｕ  Ｎｏｕｙ  Ｒｉｎｇ法で測定でき、「ｍＮ／ｍ」を単位とする測定値が得られる。粘度は、粘度計を使用して測定でき、「ｍＰａ・ｓ」を単位とする測定値が得られる。そして、スプレー組成物の液滴の物理的サイズ（直径）は、測定値をミクロン（μｍ）にて提供する空気力学的な粒子サイズ測定器を用いて測定され得る。蒸気圧は、ＣＡＲＢ法３１０によって測定される。
【００９２】
従来の空気処理用の液体の組成物は、ヒトの健康及び環境に対して許容できない量のＶＯＣを有する溶媒を典型的に含有していたり、許容できない毒性プロファイルを有していたり、ポンプ装置を使用せずに空気中に効果的に送出するには粘性が高過ぎたりするものであった。これに対して、本発明の組成物の一つの特徴としては、ＶＯＣを全く若しくは実質的に含有せず、又は少なくともＣＡＲＢ規則（カリフォルニア大気資源局によるＶＯＣにかかる規制）により認可される程度に含有していることが挙げられる。
【００９３】
また、本発明の組成物は、実質的に透明で単分散系（例えば０．１〜２０μｍの範囲）であり、例えば、静電スプレー装置での使用時に、（例えば、欧州特許出願公開第１３９９２６５号明細書に開示されているように）残留電荷が０以外の小滴を一貫して生成できる。液滴の大きさは、例えば、空気力学的粒度計を使用する方法等、公知の方法で測定でき、「μｍ」を単位とする測定値が得られる。本発明における液滴のサイズは、例えば平均直径が１０μｍ未満である。
【００９４】
また、本発明の組成物は、広範な種々の活性成分を広範な用途に適用でき、これは、実質的に水溶性の組成物を有する従来の製剤が必要とされていることである。利用可能な活性成分としては、有機溶媒に対して混和性があるとは一般的に考えられていないもの（例えば、第４級アミン及びその他のイオン性活性成分の塩等が該当する水溶性空気清浄化薬剤等）が挙げられる。
【００９５】
通常のスプレー用の組成物は、組成物の性質が影響を受ける量の噴射剤を含有する。ここで、噴射剤とは、大気圧で適切な蒸気圧を有する低沸点物質、即ち、液化ガスであり、例えば、大気圧（１．０２５×１０５Ｐａ）で０℃未満（例えば、−４０℃未満）の沸点を有する化学物質である。具体的には、プロパン、ブタン等の低級炭化水素；Ｐｒｏｐｅｌｌａｎｔ  １２等のＣＦＣ（クロロフルオロカーボン）；ＨＦＡ１３４ａ、ＨＦＡ２２７等のＨＦＡ（ヒドロフルオロアルカン）が例示できる。
【００９６】
これに対して、本発明の組成物は、噴射剤は必須成分ではなく、該組成物における噴射剤の含有量は、典型的には５質量％未満、より典型的には１質量％未満、特に典型的には０．１質量％未満であり、０質量％であってもよく、噴射剤を全く又は実質的に含有しない。したがって、本発明の組成物は、その性質が本質的に噴射剤の影響を受けない。
【００９７】
本発明の組成物は、例えば、蒸気圧が高いエタノール、プロピレングリコールメチルエーテル、ジプロピレングリコールメチルエーテル、エチレングリコール、プロピレングリコールは必須成分ではない。
【００９８】
そして、本発明の組成物におけるエタノール、プロピレングリコールメチルエーテル、ジプロピレングリコールメチルエーテル、エチレングリコール、プロピレングリコールの総含有量は、典型的には５質量％未満、より典型的には１質量％未満、特に典型的には０．１質量％未満であり、０質量％であってもよく、エタノール、プロピレングリコールメチルエーテル、ジプロピレングリコールメチルエーテル、エチレングリコール、プロピレングリコールを全く又は実質的に含有しない。エタノール、グリコールメチルエーテル、エチレングリコールまたはプロピレングリコールは、一旦分散されたら、組成物中で検出可能でない量であることが理想的である。
【００９９】
本発明の組成物は、例えば、グリセロール、ポリエチレングリコール等の不適切な物理的性質を有する化学物質が不要であり、機械的ポンプによる送出を行わなくても、容易に分散させることができる。
【０１００】
本発明の組成物は、想定される使用条件下での全温度範囲に渡って、抵抗率、表面張力及び蒸気圧が上記数値範囲を満たす。ここで、「全温度範囲」とは、空気処理用の液体の組成物が通常使用される温度範囲であって、具体的には概ね０〜４０℃の範囲であり、典型的には室温で、より典型的には１８〜２５℃、特に典型的には２０℃程度である。
【０１０１】
例えば、ジプロピレングリコールｎ−プロピルエーテル（ＤＰｎＰ）は、粘度が高い（２５℃で１１．４ｍＰａ・ｓ）ので、適切な送出速度を実現するためには、静電スプレー分散の機械的支援を必要とすることが予測されると考えられる。しかし、驚くべきことに、本発明の組成物は、例えば、ＤＰｎＰを多量に（例えば、８５質量％以上）含有する場合であっても、機械的ポンプ等の機械的支援を必要とせずに、容易に分散させることができる。
【０１０２】
また、二塩基性エステル（ＤＢＥ）は、表面張力が比較的高く（例えば、３８．８ｍＮ／ｍ）、水溶性がほとんどない（溶媒中の水、２０℃で２．５質量％）ため、活性成分と共に組成物に配合するには不適切であり、乳化剤を使用せずに水性溶媒和させるか、又は抵抗率調節成分（典型的には弱電界溶液）の使用が必要となっていた。したがって、本発明の組成物において、乳化剤を使用することなく二塩基性エステルを配合できることは、驚くべきことである。さらに、二塩基性エステルは表面張力が高いので、許容できないほどの低い送出速度をもたらすことが予測され得る。しかし、本発明の組成物は、驚くべきことに、例えば、０．４０〜１．０ｇ製剤／日という流量で安定して空気中に送出でき、静電スプレー用として特に好適である。さらに、本発明の組成物は、一般に６４℃よりも高い引火点を有している。これにより、製造、操作および移動の際の危険性を低減する。本発明の組成物によって具体化される他の利点として、本組成物は引火性が低く、従来の溶媒よりも高い引火点を有しているという事実が挙げられる。このことは、エタノールおよび／または低分子量の炭化水素および／またはグリコールメチルエーテル、エチレングリコールまたはプロピレングリコールを含む従来の組成物と比較して火災の危険性が低いということを示し、火災の危険性が低く、圧力下にて貯蔵される必要がないということを示す。
＜空気の処理方法、組成物の使用、活性成分の定量送出方法＞
本発明の空気の処理方法は、上記本発明の組成物を、空気中にスプレーする工程を含む。
【０１０３】
また、本発明の活性成分の定量送出方法は、上記本発明の組成物を採取する工程と、採取した前記組成物を静電スプレー装置からスプレーする工程とを含む。
【０１０４】
本発明の組成物は、上記のように、スプレーでの送出に好適であり、しかも安定した流量で長時間送出可能な、高い定量送出性を有する。組成物の送出は、間欠的及び連続的のいずれでもよい。
【０１０５】
空気の処理は、例えば、リザバに保持されている本発明の組成物を採取し、スプレー装置から送出して、空気中にスプレーすることで行うことができる。
【０１０６】
スプレー装置としては、静電スプレー装置が好ましく、例えば、前記組成物が保持されたリザバと、前記組成物が前記リザバから供給されるスプレー電極と、前記スプレー電極近傍に配置された参照電極とを備え、前記スプレー電極と参照電極との間に電界を印加することで、前記組成物が液滴として前記スプレー電極からスプレーされる構造の本発明の装置が挙げられる。
【０１０７】
静電スプレー装置では、スプレー電極に組成物が供給され、このスプレー電極が最終的には電界に曝されて、参照電極との間に電界（電位差）が印加されることで、前記組成物が液滴となり、スプレーされる。このような静電スプレー装置は、例えば、「Ｓｉｒ  Ｇｅｏｆｆｒｅｙ  Ｔａｙｌｏｒ，  Ｐｒｏｃｅｅｄｉｎｇｓ  ｏｆ  ｔｈｅ  Ｒｏｙａｌ  Ｓｏｃｉｅｔｙ−１９６４，ｐ３８３〜３９７」に記載されているように、当技術分野においては周知のものである。
【０１０８】
「欧州特許出願公開第１３９９２６５号明細書」に記載された静電スプレー装置は、本発明の組成物の使用に好適なものである。この装置は、スプレー電極が装置の出口表面付近に配置され、接近している別の参照電極及び放電電極も、装置の出口表面付近に配置されており、簡単で頑強な静電スプレー装置である。開放幾何形状に構成された場合、両方の電極は、通常、出口表面の個別のリセス部内に配置されることによって、使用者の干渉から保護される。出口表面は、イオン又は荷電粒子を通して堆積された任意の電荷が即座に移行しないように、又は漏出しないように、低速で電荷を漏らすよう選択された誘電体材料を含む。したがって、これらの誘電体リセス部は、これらが収容する電極と同じ極性のわずかな電荷を確実に保持する。このため、局所電界形状が著しく変化し、さらなる電荷の堆積が確実に抑制され、最も顕著な場合には、余分な電極を必要としない。また、この静電スプレー装置の別の利点は、装置が極性に依存していないことである。言い換えれば、スプレー電極は、任意の電圧（正又は負）とすることができ、放電電極は、任意のその他の電位とすることができる。ただし、電位差は、まずスプレーを生成するのに十分であることのみを条件とする。実現可能な電位差の範囲は、２つの電極間の距離、これら電極が出口表面からリセス処理される深さ、及びリセス自体のサイズに依存し、例えば、下限値は１〜２ｋＶ、上限値は３０ｋＶ又はそれ以上とすることができ、相対的極性に関して共に正又は負とすることができる。
【０１０９】
「欧州特許出願公開第１３９９２６５号明細書」に記載されている装置については、さらに1つの可能性ある実施形態として、スプレー電極をスプレーリセス部内に収容し、放電電極を放電リセス部内に収容したものを例示できる。この実施形態のスプレー電極は、２７ゲージ金属又は導電性プラスチックキャピラリーを備え、放電電極は直径０．６ｍｍの鋭いステンレス鋼ピンを備える。
【０１１０】
リセス部の２つの縦軸は、誘電体材料から製造されたスプレー出口表面に直角である。
この実施形態では、材料がナイロンであり、スプレー出口表面は平らである。しかし、スプレーが偏向するようにスプレー出口表面で十分な電荷が保持され、かつ電荷が装置及び電極から運び去られることを条件に、その他の材料及び曲面も適用できる。電気接続は、駆動回路に接続している。
【０１１１】
静電スプレー装置では、スプレーされる組成物は、リザバに保持され、小さな空気入口穴を介して、空気がリザバに供給されて、スプレーされた液体と置き換わる。
【０１１２】
そして、この装置に駆動回路によって電力を供給すると、リザバから供給された組成物が、非常に微細な液滴となってスプレー電極から放出され、その蒸気圧及び装置付近の周囲条件に従って素早く蒸発する。静電スプレー装置における本発明の組成物の使用も、本発明に包含される。
【０１１３】
静電スプレー装置は、例えば、デューティサイクルを使用して間欠的に、又は連続的に組成物を定量送出するように、適合させることができる。
【０１１４】
以下、具体的実施例により、本発明についてさらに詳しく説明する。ただし、本発明は、以下に示す実施例に何ら限定されるものではない。
【０１１５】
なお、各組成物の調製に使用したフレグランスオイルＡ、Ｂ及びＣは、それぞれ、Ｆｉｒｍｅｎｉｃｈ社製（Ｆｉｒｍｅｎｉｃｈ  Ｓ．Ａ．，Ｒｏｕｔｅ  ｄｅｓ  Ｊｅｕｎｅｓ  １，Ｐ．Ｏ．Ｂｏｘ  ２３９，Ｇｅｎｅｖｅ  ８  ＣＨ−１２１１，Ｓｗｉｔｚｅｒｌａｎｄ）のフレグランスオイル２２５６９６、１６３０４７及び１８０２６２である。
また、フレグランスオイルＤは、Ｆｉｒｍｅｎｉｃｈ社製のＩＳＯ  ４７３０（２００４）「Ｏｉｌ  ｏｆ  ｍｅｌａｌｅｕｃａ，Ｔｅｒｐｉｎｅｎ−４−ｏｌ  ｔｙｐｅ」に準拠したフレグランスオイル、ティーツリーオイルＣＡＳ  Ｎｏ  ６８６４７−７３−４である。
【実施例】
【０１１６】
＜組成物の調製及び物性評価＞
［実施例１］
表２に示す組成の組成物を調製し、その抵抗率、表面張力、引火点及び蒸気圧を測定して、組成物の物性を評価した。評価結果を表２にあわせて示す。
【０１１７】
【表２】
0005876246.tif 000005
【０１１８】
［実施例２］
表３に示す組成の組成物を調製し、その抵抗率、表面張力、引火点、ａ）低蒸気圧成分の蒸気圧を測定して、物性を評価した。評価結果を表３にあわせて示す。
【０１１９】
【表３】
0005876246.tif 000006
【０１２０】
［実施例３］
表４に示す組成の組成物を調製し、その抵抗率、表面張力、引火点、ａ）低蒸気圧成分の蒸気圧を測定して、物性を評価した。評価結果を表４にあわせて示す。
【０１２１】
【表４】
0005876246.tif 000007
【０１２２】
［実施例４］
表５に示す組成の組成物を調製し、その抵抗率、表面張力、引火点、ａ）低蒸気圧成分の蒸気圧を測定して、物性を評価した。評価結果を表５にあわせて示す。
【０１２３】
【表５】
0005876246.tif 000008
【０１２４】
［実施例５］
表６に示す組成の組成物を調製し、その抵抗率、表面張力、引火点、ａ）低蒸気圧成分の蒸気圧を測定して、物性を評価した。評価結果を表６にあわせて示す。
【０１２５】
【表６】
0005876246.tif 000009
【０１２６】
［実施例６］
表７に示す組成の組成物を調製し、その抵抗率、表面張力、引火点、ａ）低蒸気圧成分の蒸気圧を測定して、物性を評価した。評価結果を表７にあわせて示す。
【０１２７】
【表７】
0005876246.tif 000010
【０１２８】
［実施例７］
表８に示す組成の組成物を調製し、その抵抗率、表面張力、引火点、ａ）低蒸気圧成分の蒸気圧を測定して、物性を評価した。評価結果を表８にあわせて示す。
【０１２９】
【表８】
0005876246.tif 000011
【０１３０】
実施例１〜７の組成物は、「欧州特許出願公開第１３９９２６５号明細書」で開示された静電スプレー装置を使用した場合、約０．４０〜１．０ｇ製剤／日という流量で、２０．９％のデューティサイクルを用い、１日という連続スプレー期間に渡って沈殿物が観察されること無く活性成分を効率的に分散させる安定なスプレーを生成した。
【０１３１】
［比較例１］
表９に示す組成の組成物を調製し、その抵抗率、表面張力、引火点、非低蒸気圧成分の蒸気圧を測定して、物性を評価した。評価結果を表９にあわせて示す。
【０１３２】
【表９】
0005876246.tif 000012
【０１３３】
［比較例２］
表１０に示す組成の組成物を調製し、その抵抗率、表面張力、引火点、非低蒸気圧成分の蒸気圧を測定して、物性を評価した。評価結果を表１０にあわせて示す。
【０１３４】
【表１０】
0005876246.tif 000013
【０１３５】
比較例１〜２の組成物は、静電スプレー用の抵抗率、粘度及び表面張力に関して適切な特徴を有する、当技術分野における溶媒を含有する従来の組成物である。これら組成物は、１４Ｐａ以上の高い蒸気圧を示すので、規則により製剤のＶＯＣ含量が制限される場合には、空気中に分散させるのに不適切なものである。
【０１３６】
好ましい局面において、本発明は、活性成分を空気中へ送達するに好適な組成物および方法を提供する。本発明の組成物は、ＶＯＣ規制に適合し、任意の活性成分を安定して空気中に送出でき、静電スプレー装置によるスプレーに特に好適である。
【０１３７】
活性成分を空気中へ送達するに好適な組成物を提供することが、本発明の目的の１つであり、本発明の組成物は、特にエアロゾルスプレー、好ましくは静電スプレーによる空気中への分散によって空気中へ提供される。分散の際にヒトへの毒性および危険性が低い組成物を提供することが、本発明のさらなる目的である。本発明の組成物は、噴射剤やエタノールなどのような望ましくない構成成分の使用を回避することができる。清浄でありかつ単相にて存在する組成物を提供することもまた、本発明のさらなる目的である。空気を処理するに好適な、揮発性有機化合物（ＶＯＣ）が少ない組成物を提供することもまた、本発明の目的の１つである。任意の活性成分（例えばフレグランスオイル、消毒剤、またはスプレーした時のこれらの組合せ）を安定的に供給し得る組成物を提供することもまた、本発明のさらなる目的である。
【０１３８】
本発明の目的は、以下に示す組成物および方法を提供することによって達成される。
【０１３９】
本発明は、活性成分を空気中へ送達するためのスプレー組成物および方法を提供し、空気中へ活性成分を送達するための特定の化合物またはキャリア組成物の使用を提供する。
【０１４０】
本発明の第１の態様は、活性成分を空気中へ送達するためのスプレー組成物である。本発明のスプレー組成物は、活性成分を空気中へ送達するために、
一般式（Ｉ）
【０１４１】
【化３】
0005876246.tif 000014
【０１４２】
（式中、Ｒ１は炭素数１〜４のアルキル基であり、ｎは２又は３であり、但し、ｎが２の場合にはＲ１はメチル基ではない。）
で表されるグリコールエーテルを含有しているキャリア組成物に混合された活性成分を含有しており、該キャリア組成物の２０℃における蒸気圧が１４Ｐａ未満である。上記キャリア組成物は、二塩基エステルおよび／またはジプロピレングリコールをさらに含有してもよく、らに、上記スプレー組成物は、抵抗率調節成分、および必要に応じて表面張力調節成分をさらに含有してもよい。
【０１４３】
本発明のスプレー組成物は、グリコールエーテル、ならびに、必要に応じて二塩基エステルおよび／またはジプロピレングリコールの含有量の合計が、５５〜９９．４５質量％となるように構成されていてもよい。
【０１４４】
本発明のスプレー組成物は、２０℃における、抵抗率が１×１０３〜１×１０６Ωｍであり、表面張力が２０〜４０ｍＮ／ｍであるように構成されていてもよく、この場合、活性成分の含有量が０．０５〜４４．５質量％であり、抵抗率調節成分の含有量が０．５〜５質量％であり、かつ表面張力調節成分の含有量が０〜１０質量％であることが好ましい。
【０１４５】
本発明において、グリコールエーテルは、トリプロピレングリコールモノメチルエーテル、ジプロピレングリコールｎ−プロピルエーテルおよびジプロピレングリコールｎ−ブチルエーテルからなる群より選択されていてもよい。
【０１４６】
本発明において、二塩基エステルは、グルタル酸ジメチルおよび／またはアジピン酸ジメチルであってもよい。
【０１４７】
本発明のスプレー組成物は、粘度調節成分をさらに含有しているように構成されていてもよい。
【０１４８】
本発明において、活性成分は香料であってよく、香料はフレグランスオイルであってよく、フレグランスオイルは、ティーツリーオイル、イヌハッカオイルおよびタイムオイルからなる群より選択される１種以上であってもよい。
【０１４９】
本発明のスプレー組成物は、フレグランスオイルの含有量が、５〜３５質量％となるように構成されていてもよい。
【０１５０】
本発明のスプレー組成物は、以下の組成を含有するように構成されていてもよい：
一般式（Ｉ）
【０１５１】
【化４】
0005876246.tif 000015
【０１５２】
（式中、Ｒ１は炭素数１〜４のアルキル基であり、ｎは２または３であり、ｎが２の場合、Ｒ１はメチル基でない。）
で表されるグリコールエーテル、ならびに、必要に応じて、二塩基エステルおよび／またはジプロピレングリコールを含有し、
抵抗率調節成分、フレグランスオイルおよび表面張力調節成分をさらに含有し、
上記グリコールエーテル、ならびに、必要に応じて上記二塩基エステルおよび／または上記ジプロピレングリコールの含有量の合計が、５５〜８９．５質量％であり、
上記抵抗率調節成分の含有量が、０．５〜５質量％であり、
上記フレグランスオイルの含有量が、１０〜３５質量％であり、
上記表面張力調節成分の含有量が、０〜８質量％である。
【０１５３】
本発明は、活性成分が空気清浄化剤であってもよく、空気清浄化剤の含有量は０．０５〜２０質量％となるように構成されていてもよい。
【０１５４】
本発明のスプレー組成物は、以下の組成を含有するように構成されていてもよい：
一般式（Ｉ）
【０１５５】
【化５】
0005876246.tif 000016
【０１５６】
（式中、Ｒ１は炭素数１〜４のアルキル基であり、ｎは２または３であり、ｎが２の場合、Ｒ１はメチル基でない。）
で表されるグリコールエーテル、ならびに、必要に応じて、二塩基エステルおよび／またはジプロピレングリコールを含有し、
抵抗率調節成分、空気清浄化剤および表面張力調節成分をさらに含有し、
上記グリコールエーテル、ならびに、必要に応じて上記二塩基エステルおよび／または上記ジプロピレングリコールの含有量の合計が、７０〜９７．９質量％であり、
上記抵抗率調節成分の含有量が、１〜５質量％であり、
上記空気清浄化剤の含有量が、０．１〜２０質量％であり、
上記表面張力調節成分の含有量が、１〜１０質量％である。
【０１５７】
本発明のスプレー組成物は、静電的に噴霧するために用いられることが好ましい。
【０１５８】
本発明の第２の態様は、活性成分を空気中へ送達するための方法である。本発明の方法は、活性成分を空気中へ送達するために、上記組成物を空気中へ噴霧する工程を包含する。噴霧する工程は静電的に行われるように構成されていてもよい。
【０１５９】
本発明の方法は、活性成分を、キャリア組成物と混合してスプレー組成物を調製する工程をさらに包含してもよい。
【０１６０】
本発明の方法は、スプレー組成物を空気中へスプレーするためのスプレー電極に該スプレー組成物を供給する工程、および該スプレー電極の近傍に配置された放電電極と該スプレー電極との間に電界を印加する工程を包含するように構成されていてもよい。
【０１６１】
本発明の第３の態様は、活性成分を空気中へ送達するための、特定のグリコールエーテルまたは上記キャリア組成物の使用である。本発明の使用は、静電的に噴霧して活性成分を空気中へ送達するように構成されていてもよい。また、本発明の使用は、グリコールエーテルが、二塩基エステルおよび／またはジプロピレングリコールと組み合わせて用いられるように構成されていてもよく、抵抗率調節成分および／または表面張力調節成分、ならびに、必要に応じて粘度調節成分と組み合わせて用いられてもよい。
【０１６２】
本発明の第４の態様は、上記スプレー組成物が封入されているリザバである。
【０１６３】
本発明の第５の態様は、スプレー組成物を空気中へスプレーする装置である。本発明の装置は、上記スプレー組成物が封入されているリザバ、上記スプレー組成物を受容するように該リザバと連結したスプレー電極、該スプレー電極の近傍に配置された放電電極、および、該スプレー電極と該放電電極との間に電界を印加する印加部を備えており、該スプレー電極と該放電電極との間に電界が印加されることによって、該リザバから供給された該組成物が該スプレー電極にて空気中へ液滴形態にてスプレーされる。
【０１６４】
さらなる局面において、本発明は、空気の処理に好適な方法および組成物を提供する。本発明の組成物は、ＶＯＣ規制に適合し、任意の活性成分を安定して空気中に送出でき、静電スプレー装置によるスプレーに特に好適である。
【０１６５】
空気を処理するに好適な組成物を提供することが、本発明の目的の１つであり、本発明の組成物は、特にエアロゾルスプレー、好ましくは静電スプレーによる空気中への分散によって空気中へ提供される。分散の際にヒトへの毒性および危険性が低い組成物を提供することが、本発明のさらなる目的である。本発明の組成物は、噴射剤やエタノールなどのような望ましくない構成成分の使用を回避することができる。清浄でありかつ単相にて存在する組成物を提供することもまた、本発明のさらなる目的である。空気を処理するに好適な、揮発性有機化合物（ＶＯＣ）が少ない組成物を提供することもまた、本発明の目的の１つである。任意の活性成分（例えばフレグランスオイル、消毒剤、またはスプレーした時のこれらの組合せ）を安定的に供給し得る組成物を提供することもまた、本発明のさらなる目的である。
【０１６６】
このような本発明の目的は、以下に示す組成物および方法を提供することによって達成される。
【０１６７】
本発明の第１の態様は、空気を処理するための液体の組成物であって、
ａ）（ｉ）下記一般式（Ｉ）
【０１６８】
【化６】
0005876246.tif 000017
【０１６９】
（式中、Ｒ１は炭素数１〜４のアルキル基であり、ｎは２又は３であり、但し、ｎが２の場合にはＲ１はメチル基ではない。）
で表されるグリコールエーテル、及び
（ｉｉ）二塩基性エステル
からなる群から選択される少なくとも１種の化合物と、さらに任意選択でジプロピレングリコールとを含む低蒸気圧成分と；
ｂ）抵抗率調節成分と；
ｃ）活性成分と；
さらに任意選択でｄ）表面張力調節成分と
を含有し、
且つ、２０℃で１４Ｐａ未満の蒸気圧を有する組成物である。
【０１７０】
上記組成物は、低蒸気圧成分の含有量が、５５〜９９．４５質量％となるように構成されていてもよい。
【０１７１】
上記組成物は、低蒸気圧成分の含有量が、５７．５〜９０質量％となるように構成されていてもよい。
【０１７２】
上記組成物は、低蒸気圧成分の含有量が、５９〜８９質量％となるように構成されていてもよい。
【０１７３】
上記組成物において、低蒸気圧成分が、トリプロピレングリコールモノメチルエーテル、ジプロピレングリコールｎ−プロピルエーテル、ジプロピレングリコールｎ−ブチルエーテル及び二塩基性エステルからなる群から選択される少なくとも１種の化合物を含むように構成されていてもよい。
【０１７４】
上記組成物において、低蒸気圧成分が、ジプロピレングリコールｎ−プロピルエーテルを含むように構成されていてもよい。
【０１７５】
上記組成物において、低蒸気圧成分が、二塩基性エステルを含むように構成されていてもよい。
【０１７６】
上記組成物において、上記二塩基性エステルがグルタル酸ジメチル及びアジピン酸ジメチルからなる群から選択されてもよい。
【０１７７】
上記組成物において、上記二塩基性エステルがグルタル酸ジメチルとアジピン酸ジメチルとの混合物であってもよい。
【０１７８】
上記組成物は、上記二塩基性エスエルの含有量が、５〜８５質量％であるように構成されていてもよい。
【０１７９】
上記組成物において、活性成分は、香料を含んでもよい。
【０１８０】
上記組成物において、上記香料はフレグランスオイルであってもよい。
【０１８１】
上記組成物において、上記香料は、ティーツリーオイル、イヌハッカオイル及びタイムオイルからなる群から選択される１種以上のオイルの構成成分を含んでもよい。
【０１８２】
上記組成物は、上記オイルの構成成分が、存在する総オイルの一部となるように構成されていてもよい。
【０１８３】
上記組成物は、上記フレグランスオイルの含有量が、５〜３５質量％となるように構成されていてもよい。
【０１８４】
上記組成物は、以下の組成を含有するように構成されていてもよい：
低蒸気圧成分５５〜８９．５質量％、
抵抗率調節成分０．５〜５質量％、
フレグランスオイル１０〜３５質量％、
表面張力調節成分０〜８質量％。
【０１８５】
上記組成物において、上記ｃ）活性成分は、空気清浄化薬剤を含んでもよい。
【０１８６】
上記組成物は、上記空気清浄化薬剤の含有量が、０．０５〜２０質量％となるように構成されていてもよい。
【０１８７】
上記組成物は、以下の組成を含有するように構成されていてもよい：
低蒸気圧成分７０〜９７．９質量％、
抵抗率調節成分１〜５質量％、
空気清浄化薬剤０．１〜２０質量％、
表面張力調節成分１〜１０質量％。
【０１８８】
上記組成物は、さらに粘度調節成分を含有してもよい。
【０１８９】
上記組成物は、２０℃において、１×１０３〜１×１０６Ωｍの抵抗率と、２０〜４０ｍＮ／ｍの表面張力を共に有してもよい。
【０１９０】
上記組成物は、静電スプレー用であってもよい。
【０１９１】
また、本発明の第２の態様は、上記本発明の第１の態様の組成物を、空気中にスプレーする工程を含む空気の処理方法である。
【０１９２】
また、本発明の第３の態様は、上記本発明の第１の態様の組成物が保持されたスプレー装置リザバである。
【０１９３】
上記スプレー装置リザバは、静電スプレー装置用であってもよい。
【０１９４】
また、本発明の第４の態様は、上記本発明の第１の態様の組成物を保持するリザバと、前記組成物が前記リザバから供給されるスプレー電極と、前記スプレー電極近傍に配置された参照電極とを備え、前記スプレー電極と参照電極との間に電界を印加することで、前記組成物が液滴として前記スプレー電極からスプレーされる静電スプレー装置である。
【０１９５】
また、本発明の第５の態様は、静電スプレー装置における上記本発明の第１の態様の組成物の使用である。
【０１９６】
また、本発明の第６の態様は、上記本発明の第１の態様の組成物を採取する工程と、採取した前記組成物を静電スプレー装置からスプレーする工程とを含む活性成分の定量送出方法である。
【０１９７】
本発明の驚くべき局面は、組成物における、（ｉ）本明細書中にて規定した一般式（Ｉ）によって示される化合物（例えば、ジプロピレングリコールｎ−プロピルエーテル（ＤＰｎＰ））；（ｉｉ）二塩基性エステル、からなる群より選択される化合物の少なくとも１つの、必要に応じて、ジプロピレングリコールとの組合せでの、使用が、空気中へのスプレーの際、好ましくは静電スプレーを用いたときに、空気の処理に好適な液体を提供することである。グリコールエーテルは、空気処理の静電スプレーに好適であると、当該分野において長期間にわたって記載されてきたが、本発明者らは、このような知見が総じて単純化され過ぎているということを見出した。なぜなら、従来の組成物は、ヒトの健康および環境について許容され得ない量のＶＯＣを含む溶媒を含有していたり、許容され得ない毒性プロファイルを有していたり、高価なポンプ装置を必要とすることなく効果的に空気中へ送達するには粘度が高過ぎたりするものであったからである。
【０１９８】
好適には、本発明の組成物は、通常の操作の間に予想される温度範囲の全体にわたって、上述した物理的特性ウインドウ（すなわち、抵抗率、表面張力および蒸気圧）に保たれるべきである。少なくとも上記温度は室温（１８〜２５℃（例えば２０℃））であり、これは最適な温度範囲である。しかし、本発明の組成物は、典型的には０℃〜４０℃以上まで改変することなく操作され、この温度範囲外であることもしばしばである。
【０１９９】
従来の非水性溶媒は、該当するＶＯＣ条件を満たすに適切でない。該当するＶＯＣ条件を満たす非水性溶媒の組成物を提供することもまた、本発明の目的である。本発明の組成物は、ＡＲＢ法３１０によって決定されるような２０℃で１４Ｐａよりも高い蒸気圧を有する物質を成分としてほとんど含まない（ここで、物質の量は規則によって規定されるように製品カテゴリーに従って決定される。）。そして、このような組成物中に存在し得る任意のフレグランスオイル成分は、２０℃で２８０Ｐａ以下の蒸気圧を有し得る。